(57)【要約】【課題】  画面を複数の領域に分割し複数の番組を同時に表示する機能を有したテレビジョン受信機では、視聴中の番組のチャンネル番号を確認しようとした場合、まず、分割された複数の画面のどの画面のチャンネル番号を確認したいのかを指定して、その後に、チャンネル表示操作をすることになるため、リモコン操作が煩雑となり使い勝手が悪い。【解決手段】  リモコンに表示部を設け、この表示部を画面の分割態様と同様に分割し、それぞれの分割領域に画面に表示されている番組のチャンネル番号を表示するようにした。【選択図】  図２
2008042283.tif 000002
【特許請求の範囲】
【請求項１】
第一の表示部を有し、該第一の表示部に複数の表示態様で表示する機能を有した電子機器を操作するリモートコントロール装置において、
第二の表示部を有し、
該第二の表示部は、前記第一の表示部の表示態様と同様の表示態様で表示することを特徴とするリモートコントロール装置。
【請求項２】
請求項１に記載のリモートコントロール装置において、
前記第二の表示部には、前記第一の表示部に表示された内容を示す情報を表示することを特徴とするリモートコントロール装置。
【請求項３】
複数の信号入力部と、第一の表示部とを有し、該第一の表示部に前記複数の信号入力部から入力された信号の一部または全部を複数の表示態様で同時に表示する機能を有した電子機器を操作するリモートコントロール装置において、
第二の表示部を有し、
該第二の表示部は、前記第一の表示部の表示態様と同様の表示態様で表示することを特徴とするリモートコントロール装置。
【請求項４】
請求項３に記載のリモートコントロール装置において、
前記第二の表示部には、前記第一の表示部に表示された信号の内容を示す情報を表示することを特徴とするリモートコントロール装置。
【請求項５】
複数の信号入力部と、第一の表示部とを有し、該第一の表示部を複数の態様の複数の表示領域に分割し、前記複数の信号入力部から入力された信号の一部または全部を前記複数の表示領域に割り当てて同時に表示する機能を有した電子機器を操作するリモートコントロール装置において、
第二の表示部を有し、
該第二の表示部は、前記第一の表示部の表示態様と同様の表示態様で複数の領域に分割して表示することを特徴とするリモートコントロール装置。
【請求項６】
請求項５に記載のリモートコントロール装置において、
前記第一の表示部の分割された各領域に割り当てられた信号の内容を示す情報を、前記第二の表示部の分割された各領域であって、前記第一の表示部の分割された各領域に対応する領域に表示することを特徴とするリモートコントロール装置。
【請求項７】
放送受信手段と、画面分割手段とを有した放送受信装置を操作するリモートコントロール装置において、
少なくとも、前記放送受信装置の画面分割態様を指定する画面表示手段と、表示手段とを有し、
前記表示手段は、前記画面表示手段の操作に応じて、前記放送受信装置の画面分割態様と同様の表示分割を行なうことを特徴とするリモートコントロール装置。
【請求項８】
複数の放送受信手段と、インターネット接続手段と、画面分割手段とを有した放送受信装置を操作するリモートコントロール装置において、
少なくとも、前記放送受信装置の画面分割態様を指定する画面表示手段と、表示手段とを有し、
前記表示手段は、前記画面表示手段の操作に応じて、前記放送受信装置の画面分割態様と同様の表示分割を行なうことを特徴とするリモートコントロール装置。
【請求項９】
請求項７または請求項８に記載のリモートコントロール装置において、
前記放送受信装置の画面分割された各領域に表示された放送番組のチャンネル番号および／またはＷＥＢのドメイン名を、前記表示手段の表示分割された各領域であって、前記放送受信装置の画面分割された各領域に対応する領域に表示することを特徴とするリモートコントロール装置。
【請求項１０】
請求項７または請求項８に記載のリモートコントロール装置において、
前記放送受信装置の画面分割された各領域に表示された放送番組のチャンネル番号と放送方式を示す情報および／またはＷＥＢのドメイン名とインターネットを示す情報を、前記表示手段の表示分割された各領域であって、前記放送受信装置の画面分割された各領域に対応する領域に表示することを特徴とするリモートコントロール装置。
【請求項１１】
請求項９または請求項１０に記載のリモートコントロール装置において、
前記ドメイン名として、組織名を示す情報のみを表示することを特徴とするリモートコントロール装置。
【請求項１２】
複数の放送受信手段とインターネット接続手段と画面分割手段とを有した放送受信装置と、該放送受信装置を操作するリモートコントロール装置と、からなる放送受信システムにおいて、
前記リモートコントロール装置は、少なくとも、前記放送受信装置の画面分割態様を指定する画面表示手段と、表示手段とを有し、該表示手段は、前記画面表示手段の操作に応じて、前記放送受信装置の画面分割態様と同様の表示分割を行なうことを特徴とする放送受信システム。
【請求項１３】
請求項１２に記載の放送受信システムにおいて、
前記放送受信装置の画面分割された各領域に表示された放送番組のチャンネル番号および／またはＷＥＢのドメイン名を、前記リモートコントロール装置の表示手段の表示分割された各領域であって、前記放送受信装置の画面分割された各領域に対応する領域に表示することを特徴とする放送受信システム。
【請求項１４】
請求項１２に記載の放送受信システムにおいて、
前記放送受信装置の画面分割された各領域に表示された放送番組のチャンネル番号と放送方式を示す情報および／またはＷＥＢのドメイン名とインターネットを示す情報とを、前記リモートコントロール装置の表示手段の表示分割された各領域であって、前記放送受信装置の画面分割された各領域に対応する領域に表示することを特徴とする放送受信システム。
【請求項１５】
請求項１３または請求項１４に記載のリモートコントロール装置において、
前記ドメイン名として、組織名を示す情報のみを表示することを特徴とする放送受信システム。
【発明の詳細な説明】
【技術分野】
【０００１】
本発明は、リモートコントロール装置（以下、リモコンという）およびこれを用いた放送受信システムに係るものであり、特にテレビジョン受信機又はテレビジョン受信機能及び表示機能を有した電子機器（例えば、テレビジョン受信機能を有したパーソナルコンピュータなど）用のリモコンおよびこれを用いたシステムに好適に適用できるものである。
【背景技術】
【０００２】
近時のテレビジョン受信機は、デザイン上の問題等からテレビジョン受信機本体（即ち、フレーム）にチャンネル表示をする機能がついていないものが主流となっている。その代わり、付属のリモートコントロール装置（以下、リモコンという）からの操作により、画面上の片隅に現在視聴中のチャンネル番号を表示させる機能を搭載している。
【０００３】
この様子を、図５、図６を参照して説明する。
【０００４】
図５はリモコンの外観図である。同図において、５０１はチャンネル選択ボタン群、５０２は画面表示ボタン、５０３は電源入／切ボタン、５０４はチャンネルアップ／ダウンボタン、５０５は音量増／減ボタンである。また、図６は、テレビジョン受信機の画面表示の様子を示した外観図である。同図において、６０１は表示画面、６０２は画面上に表示されたチャンネル番号である。
ここで、図５のリモコンでチャンネル選択ボタン群１またはチャンネルアップ／ダウンボタン５０４を操作しチャンネルを選択すると、図６（ｂ）のように選択されたチャンネルのチャンネル番号（同図では「６」）が画面の片隅（同図では右上）に表示される。そして、一定の時間（通常は数秒）経過すると自動的にチャンネル表示は消え、図６（ａ）のように番組内容のみが表示画面６０１に表示された状態となる。
【０００５】
この状態で、更に、画面表示ボタン５０２を操作すると、再度、チャンネル番号が画面の片隅に表示され、多くの場合、一定時間経過後にチャンネル番号表示は消える（チャンネル番号が画面の片隅に表示され続ける場合もある）。
【特許文献１】実開平１−１３９６８０号公報
【特許文献２】特開平４−０５１６８３号公報
【発明の開示】
【発明が解決しようとする課題】
【０００６】
近年は、テレビジョン受信機も大型化が進み、画面を複数の領域に分割し、複数の番組を同時に表示する機能を有したものが出てきている。
【０００７】
このような状況においては、視聴者が視聴中の番組のチャンネル番号を確認しようとした場合、従来の技術では、まず、分割された複数の画面のどの画面のチャンネル番号を確認したいのかを指定して、その後に、チャンネル表示操作をすることになる。
【０００８】
そのため、従来の技術では、使用者のリモコン操作が煩雑となり、使い勝手が悪いという問題が生じる。
【課題を解決するための手段】
【０００９】
本発明は、上記のような課題を解決するため、以下のような手段を講じたものである。
【００１０】
即ち、本発明に係るリモートコントロール装置は、第一の表示部を有し、該第一の表示部に複数の表示態様で表示する機能を有した電子機器を操作するリモートコントロール装置において、第二の表示部を有し、該第二の表示部は、前記第一の表示部の表示態様と同様の表示態様で表示するものである。
【００１１】
ここで、前記第二の表示部には、前記第一の表示部に表示された内容を示す情報を表示するものである。
【００１２】
このような構成により、電子機器の表示部に表示された情報の内容を手元のリモコンの表示部で容易に確認することができる。
【００１３】
また、本発明に係るリモートコントロール装置は、複数の信号入力部と、第一の表示部とを有し、該第一の表示部に前記複数の信号入力部から入力された信号の一部または全部を複数の表示態様で同時に表示する機能を有した電子機器を操作するリモートコントロール装置において、第二の表示部を有し、該第二の表示部は、前記第一の表示部の表示態様と同様の表示態様で表示するものである。
【００１４】
ここで、前記第二の表示部には、前記第一の表示部に表示された信号の内容を示す情報を表示するものである。
【００１５】
このような構成により、電子機器に複数の信号が入力された場合でも、それぞれの信号の内容を手元のリモコンの表示部で容易に確認することができる。
【００１６】
更に、本発明に係るリモートコントロール装置は、複数の信号入力部と、第一の表示部とを有し、該第一の表示部を複数の態様の複数の表示領域に分割し、前記複数の信号入力部から入力された信号の一部または全部を前記複数の表示領域に割り当てて同時に表示する機能を有した電子機器を操作するリモートコントロール装置において、第二の表示部を有し、該第二の表示部は、前記第一の表示部の表示態様と同様の表示態様で複数の領域に分割して表示するものである。
【００１７】
ここで、前記第一の表示部の分割された各領域に割り当てられた信号の内容を示す情報を、前記第二の表示部の分割された各領域であって、前記第一の表示部の分割された各領域に対応する領域に表示することを特徴とするリモートコントロール装置。
【００１８】
このような構成により、電子機器に複数の信号が入力され、それらの信号が電子機器の表示部に分割して同時に表示された場合でも、それぞれの領域に表示された信号の内容を手元のリモコンの表示部で直感的（或いは目視的）に容易に確認することができる。
【００１９】
更に、より具体的には、本発明に係るリモートコントロール装置は、放送受信手段と、画面分割手段とを有した放送受信装置を操作するリモートコントロール装置において、少なくとも、前記放送受信装置の画面分割態様を指定する画面表示手段と、表示手段とを有し、前記表示手段は、前記画面表示手段の操作に応じて、前記放送受信装置の画面分割態様と同様の表示分割を行なうものである。
【００２０】
或いは、本発明に係るリモートコントロール装置は、複数の放送受信手段と、インターネット接続手段と、画面分割手段とを有した放送受信装置を操作するリモートコントロール装置において、少なくとも、前記放送受信装置の画面分割態様を指定する画面表示手段と、表示手段とを有し、前記表示手段は、前記画面表示手段の操作に応じて、前記放送受信装置の画面分割態様と同様の表示分割を行なうものである。
【００２１】
ここで、前記放送受信装置の画面分割された各領域に表示された放送番組のチャンネル番号および／またはＷＥＢのドメイン名を、前記表示手段の表示分割された各領域であって、前記放送受信装置の画面分割された各領域に対応する領域に表示するものである。
【００２２】
または、前記放送受信装置の画面分割された各領域に表示された放送番組のチャンネル番号と放送方式を示す情報および／またはＷＥＢのドメイン名とインターネットを示す情報を、前記表示手段の表示分割された各領域であって、前記放送受信装置の画面分割された各領域に対応する領域に表示するものである。
【００２３】
尚、前記ドメイン名として、組織名を示す情報のみを表示するのが好ましい。
【００２４】
加えて、本発明に係る放送受信システムは、複数の放送受信手段とインターネット接続手段と画面分割手段とを有した放送受信装置と、該放送受信装置を操作するリモートコントロール装置と、からなる放送受信システムにおいて、前記リモートコントロール装置は、少なくとも、前記放送受信装置の画面分割態様を指定する画面表示手段と、表示手段とを有し、該表示手段は、前記画面表示手段の操作に応じて、前記放送受信装置の画面分割態様と同様の表示分割を行なうものである。
【００２５】
ここで、前記放送受信装置の画面分割された各領域に表示された放送番組のチャンネル番号および／またはＷＥＢのドメイン名を、前記リモートコントロール装置の表示手段の表示分割された各領域であって、前記放送受信装置の画面分割された各領域に対応する領域に表示するものである。
【００２６】
或いは、前記放送受信装置の画面分割された各領域に表示された放送番組のチャンネル番号と放送方式を示す情報および／またはＷＥＢのドメイン名とインターネットを示す情報とを、前記リモートコントロール装置の表示手段の表示分割された各領域であって、前記放送受信装置の画面分割された各領域に対応する領域に表示するものである。
【００２７】
尚、前記ドメイン名として、組織名を示す情報のみを表示することが好ましい。
【発明の効果】
【００２８】
本発明によれば、現在視聴している番組のチャンネル番号を確認するために特別な操作をする必要がなく、視聴者の操作性・利便性の向上に資する効果がある。
【発明を実施するための最良の形態】
【００２９】
図１は、本発明に係るリモコンの外観図である。
【００３０】
図１において、１０１は表示部、１０２はチャンネル選択ボタン、１０３は画面表示切換ボタンである。
【００３１】
また、図２は、本発明に係るリモコンによって、テレビジョン受信機を操作するイメージ図である。
【００３２】
図２において、２０１は本発明に係るリモコン、２０２はテレビジョン受信機である。
【００３３】
テレビジョン受信機２０２は、画面を複数の領域に分割して表示する機能を有し、複数のテレビジョン受信チューナ及びインターネット接続機能を有しているものとする。
【００３４】
図２では、例として、テレビジョン受信機２０２の画面を３分割し、チャンネル番号１０１（ＴＶ１）、２１１（ＴＶ２）のテレビ番組を表示するとともに、インターネットのＷＥＢ画面を表示した状態を示している。
【００３５】
即ち、２０３は第一の画面領域であって、チャンネル番号１０１のテレビ番組ＴＶ１が表示されている。また、２０４は第二の画面領域であって、チャンネル番号２１１のテレビ番組ＴＶ２が表示されている。更に、２０４は第三の画面領域であって、インターネットのＷＥＢブラウザが表示されている。
【００３６】
テレビジョン受信機の画面構成を図２のように３画面に表示するか、或いは、１画面（又は２画面）で表示するかは、リモコン２０１の画面表示切換ボタン１０３により操作される。即ち、画面表示切換ボタン１０３により、テレビジョン受信機の画面表示態様を切換えている。
【００３７】
ここで、例えば、テレビジョン受信機の画面構成を図２のように表示した場合、リモコンの表示部１０１には、その画面構成と同様の構成の表示をする。
【００３８】
即ち、リモコンの表示部１０１の表示を３分割し、第一の表示領域２０６、第二の表示領域２０７、第三の表示領域２０８としている。
【００３９】
テレビジョン受信機の画面構成が１画面（又は２画面）に切換えられた場合は、リモコンの表示部１０１の表示も１表示（又は２表示）に切換えられる。
【００４０】
そして、テレビジョン受信機の画面構成に対応したリモコンの表示部１０１の表示構成の領域にチャンネル番号またはＷＥＢのアドレス（ドメイン名）を表示する。
【００４１】
図２の例では、テレビジョン受信機の第一の画面領域２０３にはチャンネル番号１０１のテレビ番組ＴＶ１が表示されているから、リモコンの表示部１０１の第一の表示領域２０６にはチャンネル番号として「ＣＨ１０１」が表示される。同様に、テレビジョン受信機の第二の画面領域２０４にはチャンネル番号２１１のテレビ番組ＴＶ２が表示されているから、リモコンの表示部１０１の第二の表示領域２０７にはチャンネル番号として「ＣＨ２１１」が表示される。更に、テレビジョン受信機の第三の画面領域２０５にはインターネットのＷＥＢブラウザが表示されているから、リモコンの表示部１０１の第三の表示領域２０８にはＷＥＢアドレスとして「ドメイン名」が表示される。
【００４２】
尚、ドメイン名は、「国別コード」、「組織種別コード」、「組織名」から構成される。例えば、「ＷＷＷ．ａｂｃｄ．ｃｏ．ｊｐ」というドメイン名では、「ａｂｃｄ」が「組織名」、「ｃｏ」が「組織種別コード（この場合は会社組織を示している）」、「ｊｐ」が「国別コード（この場合は日本国を示している）」となる。
【００４３】
ドメイン名の全てを表示しても良いが、その場合、表示が煩雑になる虞があるため、「組織名」の部分のみを表示するのが好ましい。「組織名」がそのＷＥＢページの内容と最も良く関連しているからである。
【００４４】
また、図２の場合のように、テレビジョン放送とインターネットのＷＥＢとを同時に表示する場合は、その信号のソース（テレビジョン放送、インターネットなど）を明示する表示をチャンネル番号（又はドメイン名）と併記しても良い。
【００４５】
例えば、テレビジョン受信機の第一の画面領域２０３には「地上デジタル放送」のチャンネル番号１０１のテレビ番組ＴＶ１が表示されており、テレビジョン受信機の第二の画面領域２０４には「ＢＳデジタル放送」のチャンネル番号２１１のテレビ番組ＴＶ２が表示されており、テレビジョン受信機の第三の画面領域２０５には「インターネット」のＷＥＢブラウザが表示されている場合は、リモコンの表示部１０１の第一の表示領域２０６には「地上−Ｄ：ＣＨ１０１」と表示し、リモコンの表示部１０１の第二の表示領域２０７には「ＢＳ−Ｄ：ＣＨ２１１」と表示し、リモコンの表示部１０１の第三の表示領域２０８には「ＩＮＴ：ドメイン名」と表示する。
【００４６】
ここで、「地上−Ｄ」は、地上デジタル放送を意味する表示であり、「ＢＳ−Ｄ」は、ＢＳデジタル放送を意味する表示であり、「ＩＮＴ」は、インターネットを意味する表示であるとする。
【００４７】
尚、図３にテレビジョン受信機の画面構成を２画面にした場合の例を示している。
【００４８】
図４は、本発明に係るリモコンのブロック図である。
【００４９】
図４において、４０１は制御手段、４０２はチャンネル選択ボタン群（及び、ＷＥＢアドレス指定のための文字入力ボタン群）、４０３は画面表示切換ボタン、４０４は表示手段、４０５はメモリ、４０６はリモコンコード送信手段である。制御手段４０１は具体的にはＣＰＵなどで実現される。
【００５０】
画面表示切換ボタン４０３で画面表示態様の切換えの指示が出されると、その情報が制御手段４０１に入力される。制御手段４０１は、それに応じてリモコンコード送信手段４０６からテレビジョン受信機に対して画面表示切換えのコードを送信し、それと共に、表示手段４０４の表示をテレビジョン受信機の画面表示態様と同様の表示態様に切換える。
【００５１】
また、チャンネル選択ボタン群４０２によりチャンネル番号（又はＷＥＢアドレス）が入力されると、その情報も制御手段４０１に入力され、リモコンコード送信手段４０６からテレビジョン受信機に対してチャンネル選択のコードを送信し、それと共に、表示手段４０４に選択されたチャンネル番号（及びＷＥＢアドレス）を表示する。
【図面の簡単な説明】
【００５２】
【図１】本発明にかかるリモートコントロール装置の外観図である。
【図２】本発明にかかる放送受信システムの観念図である。
【図３】本発明にかかる放送受信システムの観念図である。
【図４】本発明にかかるリモートコントロール装置のブロック図である。
【図５】従来技術のリモートコントロール装置の外観図である。
【図６】従来技術の放送受信装置の観念図である。
【符号の説明】
【００５３】
１０１  リモートコントロール装置の表示部
１０２  チャンネル選択ボタン
１０３  画面表示切換えボタン
２０１  リモートコントロール装置
２０２  テレビジョン受信機
２０３  第一の画面分割領域
２０４  第二の画面分割領域
２０５  第三の画面分割領域
２０６  第一の表示分割領域
２０７  第二の表示分割領域
２０８  第三の表示分割領域
４０１  制御手段
４０２  チャンネル選択手段
４０３  画面表示切換えボタン
４０４  表示手段
４０５  メモリ
４０６  リモコンコード送信手段
５０１  チャンネル選択ボタン群
５０２  画面表示ボタン
５０３  電源ボタン
５０４  チャンネルアップ／ダウンボタン
５０５  音量増／減ボタン
６０１  表示画面
６０２  画面上に表示されたチャンネル番号
【図１】
2008042283.tif 000003
【図２】
2008042283.tif 000004
【図３】
2008042283.tif 000005
【図４】
2008042283.tif 000006
【図５】
2008042283.tif 000007
【図６】
2008042283.tif 000008